(57)【要約】【課題】  温水式床暖房システムで、使用者の操作を簡素化しかつ快適性を向上する。【解決手段】  ユビキタスネットワーク１上のサーバ３に記録されている、気象データ、各室の温熱環境データ、温水式床暖房システムが設置されている区画の使用状況、最適温度、設備機器の運転状況を含むネットワーク情報７に基づいて暖房の開始時期、停止時期を温水式床暖房システムの制御盤４により判断し、制御盤４の指示に基づいて暖房開始時期に先立って温水式床暖房システムの事前運転を行うとともに、日常の暖房においても、暖房運転の開始、停止を、前記ネットワーク情報に基づいて制御盤４により行う。【選択図】        図１
2005257163.tif 000002
【特許請求の範囲】
【請求項１】
ユビキタスネットワーク上のサーバに記録されている、気象データ、各室の温熱環境データを含むネットワーク情報に基づいて、暖房運転の開始時期、停止時期を、温水式床暖房システムの制御盤もしくは前記サーバに設けた演算手段により判断する手順と、この演算手段の指示に基づいて温水式床暖房システムの運転、停止を行う手順と、を有してなる温水式床暖房システムの制御方法。
【請求項２】
請求項１記載の温水式床暖房システムの制御方法において、前記演算手段により判断する暖房運転の開始時期が、暖房開始前の蓄熱材に蓄熱するプレ暖房運転の開始時期であることを特徴とする温水式床暖房システムの制御方法。
【請求項３】
請求項１記載の温水式床暖房システムの制御方法において、前記演算手段により判断する暖房運転の開始時期が、暖房期間中の日々の暖房運転の開始時刻であることを特徴とする温水式床暖房システムの制御方法。
【請求項４】
請求項１〜３のうちのいずれか１項に記載の温水式床暖房システムの制御方法において、温水式床暖房システムの運転開始後、前記演算手段の入力として前記ネットワーク情報７に加え、床暖房装置が設置されている区画の使用状況、最適温度のうちの少なくとも一つを用いて、当該区画の温水式床暖房システムの暖房強度を前記演算手段により変更する手順を有してなることを特徴とする温水式床暖房システムの制御方法。
【請求項５】
暖房区画の床下に配設される温水コイルと、この温水コイルにポンプを介装した循環配管で接続された貯湯槽と、前記ポンプの運転制御を行う制御手段と、を有してなる温水式床暖房システムであって、前記制御手段は、ユビキタスネットワークに接続されたサーバに格納されたネットワーク情報を入力として前記ポンプの運転制御を行うものである温水式床暖房システム。
【発明の詳細な説明】
【技術分野】
【０００１】
本発明は、温水を利用した床暖房システムに係り、特に、ユビキタス情報を用いた温水式床暖房システムの制御方法に関する。
【背景技術】
【０００２】
暖房の方式の一つとして、温水を床下に循環させ床面を暖めて暖房する温水式床暖房がある。一般に温水式床暖房は、温水から床面あるいは蓄熱材と床面を介して室内の空気を暖めるので、暖房時、床面あるいは蓄熱材と床面をまず暖める必要があり、快適な室内温度が得られるまで（温度立ち上がり）に時間を要する。したがって、必要な時に必要な温度の暖房状態を得て快適性を向上させるには、実際に床暖房が必要な時の少し前（十数分〜数時間程度）に暖房装置の運転（プレ運転）を始める必要がある。特に、蓄熱型床暖房は、暖房を開始する時期の前に、あらかじめ蓄熱材に蓄熱する時間が必要である（プレ暖房運転）。しかし、この事前運転（プレ運転、プレ暖房運転）の時間は、床暖房システムの構造や床暖房が設置されている建物の構造等だけでなく外気温度等の気象条件からも変化する。つまり、プレ運転の時間や暖房開始時期の前の蓄熱に要するプレ暖房運転時間は個々の装置ごとに、かつ気象条件によっても異なり、使用者自身がプレ運転の開始時期や運転時間を判断して操作（予約運転、停止等）しなければならなかった。
【０００３】
特許文献１には、太陽熱を利用した温水式床暖房システムが開示されているが、前記プレ運転については、何も述べられていない。また、特許文献２には、太陽熱と補助ボイラを併用する温水式床暖房システムが開示されており、暖房を開始するであろう時期の２週間から１ヶ月前くらいに太陽熱利用のみによる暖房運転を設定することが記載されている。特許文献３には、蓄熱用のモルタル層と発熱体を備えた蓄熱式の床暖房システムが開示されているが、上記プレ運転については何も記載されていない。さらに、特許文献４にも蓄熱材と発熱体を備えた蓄熱式の床暖房システムが開示されているが、上記プレ運転については何も記載されていない。
【０００４】
【特許文献１】特開平６−４２８２２公報
【特許文献２】特開２００３−２８４４５公報（第１１欄第１〜１２行）
【特許文献３】特開平７−２２９６３０公報
【特許文献４】特開平８−５０８９公報
【発明の開示】
【発明が解決しようとする課題】
【０００５】
先にも述べたように、温水式床暖房は温度立ち上がりに時間がかかるため、暖房開始時刻の少し前（十数分〜数時間程度）に運転（プレ運転）を始めることが望ましい。また、蓄熱型温水式床暖房では、あらかじめ蓄熱材に蓄熱する（プレ暖房運転）時間が必要である。しかし、この事前運転（プレ運転、プレ暖房運転）の時間は、床暖房システムの構造だけでなく外気温度等の気象条件、床暖房が設置されている建物の構造等からも変化するため、従来、設置された個々のシステムごとに、使用者が自分で開始時期や運転時間を判断せねばならず、無駄なく、かつ必要な時間に十分な暖房を行うのが難しかった。このため、暖房がほしい時期に快適な温度条件を得られない場合が多かった。特許文献２には、暖房を開始するであろう時期の２週間から１ヶ月前くらいに太陽熱利用のみによる暖房運転を設定することが記載されているが、これは、気温の低下する夜間に室温が低下するのを抑えるためで、前記プレ運転の思想は開示されていない。
【０００６】
本発明の課題は、温水式床暖房システムで、使用者の操作を簡素化しかつ快適性を向上するにある。
【課題を解決するための手段】
【０００７】
上記の課題を達成する本発明の第１の手段は、ユビキタスネットワーク上のサーバに記録されている、気象データ、各室の温熱環境データを含むネットワーク情報に基づいて暖房の開始時期、停止時期を演算手段により判断し、この演算手段の指示に基づいて暖房システムの運転、停止を行う床暖房システムの制御方法である。
【０００８】
上記構成によれば、当該温水式床暖房システムの構造、容量や床暖房が設置されている建物の構造等の固定条件に加え、気象データ、各室の温熱環境という変動条件を用いて暖房システムのプレ運転、停止を自動的に行うことが可能になって使用者の操作が簡素化されるとともに、必要な時期に必要な温度の暖房を行うことができ、快適性が向上する。
【０００９】
上記第１の手段において、前記演算手段の入力として前記ネットワーク情報に加え、床暖房装置が設置されている区画の使用状況、最適温度のうちの少なくとも一つを用いて、当該区画の床暖房装置の運転状況を決定するようにしてもよい。
【００１０】
上記構成によれば、前記第１の手段の効果に加え、暖房開始後の床暖房装置の効果的な利用が可能になる。
【発明の効果】
【００１１】
本発明によれば、床暖房システムで、使用者の操作を簡素化しかつ快適性を向上する効果がある。
【発明を実施するための最良の形態】
【００１２】
以下、図面を参照して本発明の実施の形態を説明する。図１は、本発明の実施の形態に係る太陽熱給湯暖房システムの制御盤４とユビキタスネットワーク１の関係を示し、制御盤４は、ユビキタスネットワーク１に共通接続ユニットaを介して接続され、ユビキタスネットワーク１にはさらに、ネットワーク情報７を格納したサーバ３が接続されている。
【００１３】
ユビキタスネットワーク１のサーバ３は、太陽熱給湯暖房システムが設置されている家の機器を制御するサーバであり、水道、ガス、電気、照明などの状態や消費量の情報、設備機器の能力、運転情報（例えば、警備監視システムの作動状態、太陽熱発電量、暖房熱量等、すべての機器についての情報）建物の構造に関する情報、また、部屋（あるいはその家）に人がいるか否か、その人数、帰宅時間、使用目的、最適温度、外気温湿度、室内温湿度などの情報を室内外のセンサ、機器に付設されたセンサを介して取得、格納し、これらの情報を当該家に属する機器に、共通接続ユニットを介して提供する。帰宅予定時間や出勤（外出）時間等を利用者があらかじめ入力するようにすれば、情報の精度が向上する。
【００１４】
共通接続ユニットaは、ユビキタスネットワーク１とそれぞれ特定の機器の間の通信を担当する複数の共通接続ユニットの一つで、前記サーバ３からユビキタスネットワーク１に出力される制御情報５を、接続された太陽熱給湯暖房システムの制御盤４に伝達するとともに、制御盤４から出力される暖房運転の状態を示す暖房運転信号や暖房熱量などの通信情報６を、ユビキタスネットワーク１を介して前記サーバ３に送信する。
【００１５】
制御盤４は、共通接続ユニットaから出力される制御情報５に基づいて太陽熱給湯暖房システムを運転し、太陽熱給湯暖房システムの運転状態を示す暖房運転信号や暖房熱量の信号を含む通信情報６を共通接続ユニットaに送信する。
（実施例１）
次に、図２を参照して本発明の実施例１に係る太陽熱給湯暖房システムの構成を説明する。図示の太陽熱給湯暖房システムは、太陽熱集熱器１１と、太陽熱集熱器１１に接続された温水循環配管系と、温水循環配管系に接続配管系で接続された貯湯槽１２と、貯湯槽１２に接続された給湯系と、システムを制御する前記制御盤４と、を含んで構成されている。
【００１６】
温水循環配管系は、太陽熱集熱器１１の温水出側に配管１９で入り側ポートの一つを接続された電動四方弁１３と、電動四方弁１３の入側ポートの一つに配管２８で吐出側を接続されたポンプ１５と、電動四方弁１３の出側ポートの一つに配管２１で接続された入り側ヘッダ１８と、入り側ヘッダ１８に接続された温水コイル２３と、温水コイル２３の出側に接続された出側ヘッダ１７と、出側ヘッダ１７に配管２４で入り側ポートの一つを接続された電動四方弁１４と、電動四方弁１４の出側ポートの一つに配管２５で吸い込み側を接続されたポンプ１６と、ポンプ１６の吐出側と太陽熱集熱器１１の入り側を接続する配管２０と、を含んで構成されている。
【００１７】
温水コイル２３は、入り側ヘッダ１８から暖房対象区画（居室）別に複数系統に分かれて居室床下（フローリング下）に導設、配置され、出側は各系統とも出側ヘッダ１７に接続されている。各系統の入り側ヘッダ１８出口には開度調整可能な電動弁３５が設けられ、制御盤４により遠隔操作可能としてあり、居室ごとに暖房強度の遠隔調整が可能になっている。
【００１８】
電動四方弁１３は、配管１９と配管２９を連通するとともに配管２１と配管２８を連通する貯湯暖房位置と、配管１９と配管２１を連通する集熱暖房位置を取りうるように構成されており、電動四方弁１４は、配管２５と配管２７を連通するとともに配管２４と配管２６を連通する貯湯暖房位置と、配管２５と配管２４を連通する集熱暖房位置を取りうるように構成されている。
【００１９】
接続配管系は、貯湯槽１２に内装された蓄熱熱交換器３６、暖房熱交換器３７と、前記電動四方弁１３の出側ポートの他の一つと蓄熱熱交換器３６の入側を接続する配管２９と、前記電動四方弁１４の入り側ポートの他の一つを蓄熱熱交換器３６の出側に接続する配管２７と、ポンプ１５の吸い込み側を暖房熱交換器３７の出側に接続する配管２２と、前記電動四方弁１４の出側ポートの他の一つを暖房熱交換器３７の入側に接続する配管２６と、を含んで構成されている。
【００２０】
給湯系は、貯湯槽１２底部に接続された給水管３１と、貯湯槽１２上部に接続された配管３３と、配管３３に接続された給湯ボイラ３０と、給湯ボイラ３０の温水出側に接続された給湯管３４と、を含んで構成されている。
【００２１】
なお、温度検出手段や圧力検出手段、絞り弁や膨張タンクなどの圧力調整手段等の配管系構成要素については、図示と説明を省略してある。
【００２２】
前記制御盤４は、前記電動四方弁１３、１４及びポンプ１５、１６に電線で接続され、それらの動作を前記共通接続ユニットaから入力される制御情報に基づいて制御するとともに、それらの運転、作動状況の情報を取得し、通信線３６を介して前記共通接続ユニットaに出力する。制御盤４は、演算手段、記憶手段を含んで構成され、記憶手段には、外気温度（日平均気温、最高温度、最低温度）、日平均室内温度がそれぞれ何度になったら暖房を開始するかの基準温度、過去の暖房開始まえのプレ暖房運転に要した時間、日数のデータ及びプレ暖房運転開始時の外気温（日平均気温、最高温度、最低温度）、貯湯槽１２の温度が格納されている。
【００２３】
次に上記構成の太陽熱給湯暖房システムの動作につき、説明する。図示の太陽熱給湯暖房システムの動作は次の三つのモードに大別され、制御盤４により、どのモードで運転するかが選定され、実行される。制御盤に付設された手動スイッチによる手動によるモードの選定と運転制御も可能である。
a．蓄熱モード（太陽熱集熱器による蓄熱）
b．暖房モード（前記蓄熱した熱による暖房、太陽熱集熱器による暖房）
c．給湯モード（給湯）
上記給湯モードは、プレ運転モード、暖房モードと同時に、あるいは単独で行われる。
【００２４】
上記各動作について概要を説明する。
【００２５】
（太陽熱集熱器による蓄熱）
太陽熱集熱器による蓄熱は、太陽熱集熱器１１で昇温された温水を貯湯槽１２に内装された蓄熱熱交換器３６に循環させ、太陽熱集熱器１１で昇温された温水と貯湯槽１２の貯湯を熱交換させて、貯湯槽１２の貯湯を昇温することで行われる。このとき、電動四方弁１３，１４はいずれも前記貯湯暖房位置に操作され、ポンプ１６が運転される。ポンプ１６の運転により、蓄熱熱交換器３６内の水は、配管２７、電動四方弁１４、配管２５を経てポンプ１６に吸引、加圧され、配管２０を経て太陽熱集熱器１１に送り込まれる。太陽熱集熱器１１で集熱された太陽熱で昇温された水は、配管１９、電動四方弁１３、配管２９を経て貯湯槽１２内の蓄熱熱交換器３６に戻り、貯湯槽１２の貯湯と熱交換して貯湯槽１２の貯湯を昇温する。この循環が繰り返されて貯湯槽１２の水が昇温される。
【００２６】
制御盤４は、太陽熱集熱器１１の温度があらかじめ設定された温度を超えたら、このモードによる運転を行い、その温度よりも低下したら、停止する。
（前記蓄熱した熱による暖房）
この動作は、貯湯槽１２の温水を温水コイル２３に循環させて暖房する動作である。このとき、電動四方弁１３，１４はいずれも前記貯湯暖房位置に操作され、ポンプ１５が運転される。暖房熱交換器３７で貯湯槽１２内の貯湯と熱交換して昇温された温水はポンプ１５の運転により吸引、加圧され、配管２８、電動四方弁１３、配管２１を経て入り側ヘッダ１８に送り込まれる。入り側ヘッダ１８に送り込まれた温水は、ここから複数の系統に分かれた温水コイル２３に導入され、温水コイル２３を通過しつつ放熱して暖房する。複数の系統に分かれて温水コイル２３を通過した温水は出側ヘッダ１７で合流し、配管２４、電動四方弁１４、配管２６を経て貯湯槽１２内の暖房熱交換器３７に戻り、貯湯槽１２内の貯湯と熱交換して昇温される。この循環を繰り返して暖房が行われる。
【００２７】
制御盤４は、貯湯槽１２の熱量が不足しているが、太陽熱集熱器１１の集熱量が十分であるとき、この動作を選定する。
（給湯）
この動作は上記蓄熱や暖房とは無関係に給湯を行う動作である。給水管３１から貯湯槽１２に導入された給水は貯湯槽１２内の蓄熱熱交換器３６と熱交換して昇温された後、配管３３、給湯ボイラ３０を経て給湯管３４に送り出される。給湯ボイラ３０では、流入した温水があらかじめ定めた温度よりも低いとき、自動的に点火され、加熱、昇温される。
【００２８】
暖房モードにおいて、前記蓄熱した熱による暖房及び太陽熱集熱器による暖房のどの動作で運転するかは制御盤４により選択され、選択された動作での運転の開始、停止も、制御盤４により設定、制御される。もちろん手動による動作の選択、選択された動作での運転の手動による開始、停止も可能である。但し、給湯モードは、装置電源が投入された状態では常に実行可能となっている。
【００２９】
制御盤４は、運転モードの選択や運転の開始、停止に関連して、次のような制御を行う。
（暖房開始時期の判定とプレ暖房運転）
制御盤４に内蔵されている演算手段（マイクロコンピュータ）は、定期的に前記サーバ３に格納されているネットワーク情報７を読み出すようになっている。演算手段は前記ネットワーク情報７に含まれている近況気象データ及び過去の気象データ（平均気温の時系列変化データ）、当該太陽熱給湯暖房システムが設置されている家屋各室の近況温熱環境データ及び過去の温熱環境データ（平均室温の時系列変化データ）、機器情報（床暖房方式）等に基づいて、暖房開始日、暖房停止日を判断し、プレ暖房運転をいつ開始すべきかを決定する。すなわち、演算手段は、読み出した近況気象データと過去の気象データ（平均気温の時系列変化データ）を対比するとともに、家屋各室の近況温熱環境データ及び過去の温熱環境データ（平均室温の時系列変化データ）を対比して、平均気温及び平均室温がそれぞれ記憶手段に格納されている前記基準温度（暖房開始の基準温度）になるのが何日後になるのか、つまり暖房開始日を推定する。
【００３０】
暖房開始日に暖房を開始するには、貯湯槽１２の貯湯の温度をあらかじめ設定されている所定温度まで上昇させておくプレ暖房運転の必要がある。演算手段は、現在の気象データ、貯湯槽１２の温度、前記記憶手段に格納されている、過去のプレ暖房運転のデータを参照し、プレ暖房運転の開始日、開始時刻を設定する。そして、その開始日、開始時刻が来たら、前記（太陽熱集熱器による蓄熱）モードにより、プレ暖房運転（蓄熱）を開始する。
【００３１】
貯湯槽１２の温度が前記所定温度まで上昇したらプレ暖房運転は停止され、プレ暖房運転のデータは、記憶手段に格納される。暖房開始日までにプレ暖房運転が終了しなかったら、プレ暖房運転開始から暖房開始日までのプレ暖房運転のデータが記憶手段に格納される。
（暖房運転）
プレ暖房運転が終了したら、演算手段は、運転モードを暖房モードに設定し、前記サーバ３から読み出したネットワーク情報７と、電動四方弁１３，１４及びポンプ１５，１６の情報に基づいて、太陽熱給湯暖房システム運転のための諸条件（運転開始時刻や各室の運転状態（暖房強度）など）を決定し、それによって運転制御を行う。
【００３２】
図３〜図５により、本実施例における上記決定の手順を説明する。演算手段はまず、図３の手順１で運転モードを暖房モードに設定する。演算手段は定められた時間間隔でネットワーク情報７を読み出しており、日最低温度（予報あるいは実測値のいずれか）が２０℃を下回るかどうかを監視する（手順２）。
【００３３】
２０℃を下回っていない場合、所定の時間間隔で再び、上記手順２を繰り返す。日最低温度が２０℃を下回る場合、手順３に進み、ネットワーク情報７に基づいて在室者の有無が確認される。在室者有が確認されたら、手順４に進んで、暖房強度が設定される。本実施例では、暖房強度はレベル１（弱）〜５（強）の５段階で、そのいずれに設定されるかは、暖房開始時点での暖房目標温度と室温の差で決められる。例えば暖房目標温度が２４℃とすると、室温がそれよりも５℃以上低い場合はレベル５に設定され、それ以外ではレベル３に設定される。運転開始後は、設定されたレベルをベースに暖房目標温度（室温あるいは床面温度あるいは両者の組み合わせ）と実際温度の差による比例制御が継続的に行われるが、後述する在室者数によるレベルの変更が行われる場合がある。上記レベル１〜５で温水コイル２３への温水循環量が決まり、温水コイル２３への温水循環量は、ポンプ１５もしくはポンプ１６の回転数と入り側ヘッダ出口の電動弁開度で設定される。暖房強度が設定されたら、手順５に進んで、設定された暖房強度での暖房運転（前記蓄熱した熱による暖房）が直ちに開始される。
【００３４】
手順３で在室者無しが確認されたら、まず、演算手段によりネットワーク情報７に含まれる居住者の帰宅時刻のパターンが参照され、帰宅時刻が推定される。そして推定された帰宅時刻をもとに暖房運転時刻が決定される（手順６）。
【００３５】
暖房運転時刻が決定されたら手順７に進み、プレ運転時間が設定される。ネットワーク情報７の外気温、室温のデータが参照され、外気温（日最低温度）あるいは室温に応じてあらかじめ定められたプレ運転時間が設定される。例えば日最低温度TLが、１０℃＜TL≦２０℃なら０．５時間、０℃＜TL≦１０℃なら１．０時間、TL≦０℃なら１．５時間とし、暖房対象区画の室温および外気温に基づいて前記時間を調整するようにしてもよい。暖房対象区画の室温および外気温があらかじめ定めた温度よりも高ければ、プレ運転時間を短くする。プレ運転開始時刻は、前記暖房運転時刻からプレ９運転時間だけ遡った時刻となる。
【００３６】
次いで手順８に進み、前記手順４に倣って暖房強度が設定される。暖房強度が設定されたら、プレ運転開始時刻になるまで所定の時間間隔でプレ運転開始時刻が来たかどうかが確認され（手順９）、プレ運転開始時刻になっていない場合は、手順３に戻って上記手順が繰り返される。プレ運転開始時刻になったら、手順１０に進んでプレ運転が開始される。プレ運転も実際の動作は、前記蓄熱した熱による暖房の動作である。
【００３７】
次に図４を参照して、手順５で暖房運転を開始したあとの制御手順について説明する。運転を開始したら、所定の時間間隔でネットワーク情報７に基づいて、在室者の有無が確認される（手順１１）。手順１１で在室者有が確認されたら、在室者の数に応じてあらかじめ定められているレベルだけ、暖房強度が変更される（手順１５）。例えば在室者が３人であれば暖房強度のレベルを１段階下げ、在室者が５人であれば暖房強度のレベルを２段階下げる。手順１１〜１５が所定の時間間隔で繰り返される。
【００３８】
手順１１で在室者がいない場合、暖房強度がレベル１に低下され（手順１２）、所定の時間間隔で手順１１に戻って在室者の有無が確認される。１時間たっても在室者無しの状態が続いたら、暖房運転は停止され（手順１３、１４）、図３の手順２に戻る。
【００３９】
次に図５を参照して、手順１０でプレ運転を開始したあとの制御手順について説明する。プレ運転を開始したら、所定の時間間隔でネットワーク情報７に基づいて、在室者の有無が確認される（手順１６）。
【００４０】
在室者無しの場合、手順１７に進み、前記図３の手順６で推定した帰宅予想時刻になっているかどうかが判定される。帰宅予想時刻になっていない場合、プレ運転はそのまま継続され（手順１８）、所定の時間後に手順１６に戻る。帰宅予想時刻になっていた場合手順１９に進み、暖房強度をレベル１に変更して暖房運転を継続し、所定の時間後に帰宅予想時刻から１時間経過したかどうかが判定される（手順２０）。帰宅予想時刻から１時間経過していなかったら、手順１６に戻り、手順帰宅予想時刻から１時間経過していたら、その時点で運転を停止して図３の手順２、つまり、運転初期状態に戻る。
【００４１】
手順１６で在室者有の場合、ネットワーク情報７に基づいて、在室者の数が確認され、前記手順１５と同様に、在室者の数に応じてあらかじめ定められているレベルだけ、暖房強度が変更される（手順２２）。暖房強度変更後、手順２３に進み、所定の時間間隔で在室者の有無が確認される。在室者有の場合、手順２２に戻って暖房強度が調整される。手順２２〜２３が所定の時間間隔で繰り返され、手順２３で在室者無しの場合、手順２４に進み、暖房強度がレベル１に変更される（手順２４）。レベル１に変更後、所定の時間間隔で、在室者無しが確認されてから１時間経過したかどうかが確認され（手順２５）、１時間経過していない場合、手順２３に戻る。手順２５で、在室者無しが確認されてから１時間経過したことが確認されたら、その時点で手順２６に進んで運転停止され、図３の手順２、つまり、運転初期状態に戻る。
【００４２】
本実施例では、上述のように、ユビキタス情報、つまりネットワーク情報７に基づいて、プレ暖房運転の開始時間やプレ運転の開始時間、また暖房運転中の暖房強度の変更などが自動的に行われ、温水式暖房装置が必要な時期に適正な暖房強度で運転されるから、暖房の快適性が向上する。
【００４３】
なお、上記実施例では、演算手段は制御盤４に設けられているとしたが、演算手段、記憶手段とも、サーバ３に設けてもよい。
（実施例２）
次に本発明の実施例２を説明する。実施例２が前記実施例１と異なるのは、暖房対象区画の床フローリング下に蓄熱コンクリートが設置され、温水コイル２３が蓄熱コンクリート内に配設されている点と、記憶手段に格納されているプレ暖房運転のデータには蓄熱コンクリートへの蓄熱の所要時間が含まれている点である。他の構成は前記実施例１と同じなので図示と説明を省略する。
【００４４】
実施例１においては、プレ暖房運転においては、貯湯槽１２内の温水を昇温したが、本実施例では、プレ暖房運転において、貯湯槽１２内の温水を昇温するとともに温水コイル２３に温水を循環させ、暖房時期に先だって、蓄熱コンクリートを昇温する。プレ暖房運転の開始は、前記実施例１の場合と同様の手順で行われ、貯湯槽１２への蓄熱と蓄熱コンクリートへの蓄熱が同時に行われる。暖房モードの動作は、前記実施例１と同じであるので、説明を省略する。
【図面の簡単な説明】
【００４５】
【図１】本発明の実施例に係る温水式暖房給湯システムの制御系統の要部構成を示す制御系統図である。
【図２】本発明の実施例１に係る温水式暖房給湯システムの要部構成を示す系統図である。
【図３】本発明の実施例１に係る制御手順の一部を示す手順図である。
【図４】図３に示す制御手順の続きの一部を示す手順図である。
【図５】図３に示す制御手順の続きのさらに他の一部を示す手順図である。
【符号の説明】
【００４６】
１  ユビキタスネットワーク
２  共通接続ユニットa
２b  共通接続ユニットb
３  サーバ
４  太陽熱給湯暖房システム制御盤
５  制御情報
６  通信情報 
７  ネットワーク情報
１１  太陽熱集熱器
１２  貯湯槽
１３，１４  電動四方弁
１５、１６  ポンプ
１７  出側ヘッダ
１８  入り側ヘッダ
１９〜２２  配管
２３  温水コイル
２４〜２９  配管
３０  給湯ボイラ
３１  給水管
３３  配管
３４  給湯管
３５  電動弁
３６  蓄熱熱交換器
３７  暖房熱交換器
【図１】
2005257163.tif 000003
【図２】
2005257163.tif 000004
【図３】
2005257163.tif 000005
【図４】
2005257163.tif 000006
【図５】
2005257163.tif 000007